(57)【要約】【課題】計時手段の時刻修正を行なったときに、使用者の意図しないタイミングで予約運転が実行されることを防止した給湯システムを提供する。【解決手段】自動湯張り運転を予約時刻に完了させる予約運転の設定が可能な給湯器９０を遠隔操作する浴室リモコン１に、ＦＭ文字多重放送の受信が可能なチューナーモジュール７２と、チューナーモジュール７２により受信されたＦＭ文字多重放送から文字データを抽出する文字データ抽出手段７５と、該文字データから得られる情報を前記表示手段に文字表示する文字情報表示手段７５と、所定の時刻修正タイミングとなったときに、予約時刻が設定されていなかったときは文字データの現在時刻情報に基づいて計時手段の計時時刻の修正を行ない、予約時刻が設定されていたときには計時手段の計時時刻の修正を行なわない時刻設定手段８１とを備える。【選択図】  図３
2006183956.tif 000002
【特許請求の範囲】
【請求項１】
給湯器と、所定タイミングで該給湯器に所定の予約運転を実行させるための予約時刻を使用者の操作に応じて設定する予約時刻設定手段と、現在時刻を計時する計時手段と、該計時手段による計時時刻を表示する現在時刻表示手段と、該計時手段による計時時刻に基づいて前記所定タイミングを検知して前記予約運転を実行する予約運転実行手段と、前記給湯器を遠隔操作する給湯器リモコンとを備えた給湯システムにおいて、
ＦＭ文字多重放送の受信が可能なＦＭチューナーと、該ＦＭチューナーにより受信されたＦＭ文字多重放送から文字データを抽出する文字データ抽出手段と、所定の時刻修正タイミングとなった時に前記予約時刻が設定されているか否かを判断し、前記予約時刻が設定されていないときは、現在時刻情報を有する文字データを含むＦＭ文字多重放送を受信して、該ＦＭ文字多重放送の受信信号から抽出した文字データの現在時刻情報に基づいて前記計時手段の計時時刻の修正を行い、前記予約時刻が設定されているときには、前記計時手段の計時時刻の修正を行なわない時刻設定手段とを備えたことを特徴とする給湯システム。
【請求項２】
給湯器と、所定タイミングで該給湯器に所定の予約運転を実行させるための予約時刻を使用者の操作に応じて設定する予約時刻設定手段と、現在時刻を計時する計時手段と、該計時手段による計時時刻を表示する現在時刻表示手段と、該計時手段による計時時刻に基づいて前記所定タイミングを検知して前記予約運転を実行する予約運転実行手段と、前記給湯器を遠隔操作する給湯器リモコンとを備えた給湯システムにおいて、
ＦＭ文字多重放送の受信が可能なＦＭチューナーと、該ＦＭチューナーにより受信されたＦＭ文字多重放送から文字データを抽出する文字データ抽出手段と、所定の時刻修正タイミングとなった時に、現在時刻情報を有する文字データを含むＦＭ文字多重放送を受信して、該ＦＭ文字多重放送の受信信号から抽出した文字データの現在時刻情報に基づいて前記計時手段の計時時刻の修正を行なう時刻設定手段と、
前記時刻修正タイミングとなった時に前記予約時刻が設定されていたときには、前記現在時刻情報から得られる現在時刻と前記計時時刻の修正が行なわれる前の前記計時手段の計時時刻とのずれ時間に応じて、該ずれ時間が進み時間であるときは前記予約時刻を該ずれ時間分早くし、該ずれ時間が遅れ時間であるときには前記予約時刻を該ずれ時間分遅くする予約時刻変更手段とを備えたことを特徴とする給湯器システム。
【請求項３】
前記予約運転は浴槽に所定量の湯を供給する自動湯張り運転であり、前記所定タイミングは前記予約時刻に該自動湯張り運転が完了するように設定されたタイミングであることを特徴とする請求項１又は請求項２記載の給湯システム。
【発明の詳細な説明】
【技術分野】
【０００１】
本発明は、現在時刻の計時機能と予約運転機能とを備えた給湯システムに関する。
【背景技術】
【０００２】
近年、ＦＭ放送の音声電波の隙間に、ニュースや天気予報等の文字情報を有するデータを重畳させて配信するＦＭ文字多重放送が普及している。そして、ＦＭ文字多重放送により配信される文字情報には、現在時刻情報が含まれるものがあることから、ＦＭ文字多重放送を受信するデータ受信装置と、現在時刻を計時して表示を行なう時計装置とを備え、該データ受信装置により受信されるＦＭ文字多重放送の受信信号に含まれる現在時刻情報に基づいて、時計装置による計時時刻を修正するシステムが提案されている（例えば、特許文献１参照）。
【０００３】
また、浴槽に所定量の湯を供給する自動湯張り運転を備えた給湯器において、使用者が設定した予約時刻に浴槽への湯張りが完了するように該自動湯張り運転を実行する予約運転の機能を備えた給湯システムが知られている。
【特許文献１】特開平９−２８９４６２号公報
【発明の開示】
【発明が解決しようとする課題】
【０００４】
ＦＭ文字多重放送の受信機能を給湯器を遠隔操作する給湯器リモコンに付加して、使用者にＦＭ音声放送と共に文字情報を提供することにより、使用者の快適性の向上を図ることが考えられる。ここで、給湯器リモコンには、給湯器の作動状況等を表示するための比較的大きな表示手段が備えられているため、給湯器リモコンにＦＭ文字多重放送のチューナーを備えて、該表示手段にＦＭ文字多重放送による文字情報を表示することにより、該表示手段を有効に利用して、使用者にＦＭ音声のみならず文字情報の提供も可能な給湯器リモコンを提供することができる。
【０００５】
また、例えば所定の予約時刻に浴槽への湯張りが終了するように給湯器を作動させる予約運転の機能を備えた給湯システムにおいては、現在時刻を計時するための計時手段が備えられている。そこで、ＦＭ文字多重放送の受信信号に含まれる文字データの現在時刻情報に基づいて計時手段の計時時刻を修正することで、計時手段の計時時刻の精度を向上させることができる。
【０００６】
しかし、本願発明者らは、予約時刻が設定された状態で計時手段の計時時刻を修正したときに、使用者の意図したタイミングで予約運転が実行されない場合が生じ得ることを知見した。そこで、本発明は、計時手段の計時時刻を修正したときに、使用者の意図しないタイミングで予約運転が実行されることを防止した給湯システムを提供することを目的とする。
【課題を解決するための手段】
【０００７】
本発明は上記目的を達成するためになされたものであり、給湯器と、所定タイミングで該給湯器に所定の予約運転を実行させるための予約時刻を使用者の操作に応じて設定する予約時刻設定手段と、現在時刻を計時する計時手段と、該計時手段による計時時刻を表示する現在時刻表示手段と、該計時手段による計時時刻に基づいて前記所定タイミングを検知して前記予約運転を実行する予約運転実行手段と、前記給湯器を遠隔操作する給湯器リモコンとを備えた給湯システムの改良に関する。
【０００８】
そして、本発明の第１の態様は、ＦＭ文字多重放送の受信が可能なＦＭチューナーと、該ＦＭチューナーにより受信されたＦＭ文字多重放送から文字データを抽出する文字データ抽出手段と、所定の時刻修正タイミングとなった時に前記予約時刻が設定されているか否かを判断し、前記予約時刻が設定されていないときは、現在時刻情報を有する文字データを含むＦＭ文字多重放送を受信して、該ＦＭ文字多重放送の受信信号から抽出した文字データの現在時刻情報に基づいて前記計時手段の計時時刻の修正を行い、前記予約時刻が設定されているときには、前記計時手段の計時時刻の修正を行なわない時刻設定手段とを備えたことを特徴とする。
【０００９】
かかる本発明において、使用者は、前記予約時刻設定手段により前記予約時刻を設定するときに、前記現在時刻表示手段に表示される前記計時手段の計時時刻を基準として、該計時時刻から使用者が希望する時間が経過したタイミングで前記予約運転が実行されるように前記予約時刻を決定すると想定される。そのため、使用者が前記予約時刻を設定した後に前記計時手段の計時時刻を修正すると、修正した時間分、使用者が希望する前記予約運転の実行タイミングと実際に前記予約運転が実行されるタイミングとの間にずれが生じてしまう。そこで、前記計時手段において、前記時刻修正タイミングとなった時に前記予約運転の設定がなされていたときには、前記計時手段の時刻修正を行なわないようにすることにより、使用者の意図していないタイミングで前記予約運転が実行されることを防止することができる。
【００１０】
また、本発明の第２の態様は、ＦＭ文字多重放送の受信が可能なＦＭチューナーと、該ＦＭチューナーにより受信されたＦＭ文字多重放送から文字データを抽出する文字データ抽出手段と、所定の時刻修正タイミングとなった時に、現在時刻情報を有する文字データを含むＦＭ文字多重放送を受信して、該ＦＭ文字多重放送の受信信号から抽出した文字データの現在時刻情報に基づいて前記計時手段の計時時刻の修正を行なう時刻設定手段と、前記時刻修正タイミングとなった時に前記予約時刻が設定されていたときには、前記現在時刻情報から得られる現在時刻と前記計時時刻の修正が行なわれる前の前記計時手段の計時時刻とのずれ時間に応じて、該ずれ時間が進み時間であるときは前記予約時刻を該ずれ時間分早くし、該ずれ時間が遅れ時間であるときには前記予約時刻を該ずれ時間分遅くする予約時刻変更手段とを備えたことを特徴とする。
【００１１】
かかる本発明によれば、前記時刻修正タイミングとなった時に、前記時刻設定手段により前記計時手段の時刻合わせが行なわれるが、前記予約時刻が設定されていたときには、前記予約時刻変更手段により、前記ＦＭ文字多重放送の前記現在時刻情報から得られる現在時刻と前記時刻合わせが行なわれる前の前記計時手段の計時時刻とのずれ時間に応じて、前記予約時刻が変更される。そのため、前記時刻設定手段により前記計時手段の計時時刻が修正されたときに、使用者の意図しないタイミングで前記予約運転が実行されることを防止することができる。
【００１２】
また、前記第１の態様及び第２の態様において、前記予約運転は浴槽に所定量の湯を供給する自動湯張り運転であり、前記所定タイミングは前記予約時刻に該自動湯張り運転が完了するように設定されたタイミングであることを特徴とする。
【００１３】
かかる本発明によれば、前記予約時刻の設定時に使用者が意図したタイミングと異なるタイミングで前記自動湯張り運転が実行され、使用者が入浴しようとしたときに浴槽への湯張りが完了していない状況となること、及び使用者が入浴しようとしたときに浴槽への湯張りが完了してからの時間の経過により浴槽内の湯が冷めてしまっている状況となることを防止することができる。
【発明を実施するための最良の形態】
【００１４】
本発明の実施の形態について、図１〜図５を参照して説明する。図１は本発明の給湯システムの全体構成図、図２は図１に示した浴室リモコンの外観図、図３は図１に示した浴室リモコンの表示器におけるＦＭ放送の選局状態と文字情報の表示状態を示した説明図、図４は第１の態様における時刻修正処理のフローチャート、図５は第２の態様における時刻修正処理及び予約時刻変更処理のフローチャートである。
【００１５】
図１を参照して、本実施の形態の給湯システムは、給湯器９０と、給湯器９０と通信可能に接続されて給湯器９０を遠隔操作する浴室リモコン１（本発明の給湯器リモコンに相当する）及び台所リモコン１００とにより構成されている。
【００１６】
給湯器９０は、浴槽（図示しない）と給湯管（図示しない）を介して接続され、本発明の予約運転として、浴槽に所定量の湯を供給する自動湯張り運転を、使用者により設定された予約時刻に該自動湯張り運転が完了するタイミング（本発明の所定タイミングに相当する）で実行する予約運転実行手段９１を備えている。
【００１７】
浴室リモコン１は、給湯器を遠隔操作する機能の他に、ＦＭ文字多重放送を含むＦＭ放送を受信する機能と、台所リモコン１００との間で通話を行なうインターホン機能とを有しており、マイコン５０により作動が制御される。マイコン５０には、操作部３，４，５（図２参照）の各スイッチの操作信号が入力され、マイコン５０から出力される制御信号により、表示器２（図２参照）の表示内容が変更されると共にスイッチに内蔵されたＬＥＤ１０ａ，１１ａ，１７ａ，１８ａ，１９ａ（図２参照）の点灯／消灯が制御される。
【００１８】
また、浴室リモコン１には、給湯器９０との間で制御信号の送受信等を行なう通信回路６０、台所リモコン１００との間で音声信号の送受信を行なうインターホン回路６１、音声を取り込んでインターホン回路６１に入力するマイク６２、マイコン５０からの制御信号に応じて音声信号を合成する音声合成回路６４、及びチューナー基板７０が備えられている。
【００１９】
チューナー基板７０は、ＦＭ文字多重放送の受信が可能なチューナーモジュール７２（本発明のＦＭチューナーに相当する）と、予め選択された周波数（プリセット周波数）が記憶されたメモリ７４と、マイコン７３とからなり、マイコン７３に備えられた文字データ抽出手段７５は、チューナーモジュール７２により受信されたＦＭ文字多重放送の受信信号から文字データを抽出して、マイコン５０に出力する。
【００２０】
チューナーモジュール７２により受信された音声信号は音声出力回路６３に入力される。そして、音声出力回路６３は、マイコン５０からの制御信号に応じて、インターホン回路６１から入力される音声信号と、音声合成回路６４から入力される音声信号と、チューナーモジュール７２から入力される音声とのうちのいずれかを選択して又はこれらの音声を同時に、スピーカ６から出力する。
【００２１】
また、マイコン５０には、現在時刻を計時する計時手段８０と、計時手段８０による計時時刻の修正等を行なう時刻設定手段８１と、計時手段８０による計時時刻の修正処理においてチューナーモジュール７２の受信周波数が変更された場合に、メモリ７４に記憶された使用者による直近の選択周波数に復帰させる選択周波数復帰手段８２と、文字データ抽出手段７５により抽出された文字データに含まれる情報を表示器２に文字表示する文字情報表示手段８３と、予約時刻を変更する予約時刻変更手段８４とが備えられている。
【００２２】
台所リモコン１００には、給湯器９０の作動状態や計時手段８０の計時時刻等が表示される表示器１０１（本発明の現在時刻表示手段に相当する）、給湯器９０を運転状態と待機状態とに切替えるための運転スイッチ１０５、自動湯張り運転の開始と停止を指示するための自動スイッチ１０６、浴室リモコン１とのインターホン通話を行なう「インターホンモード」への移行と解除を指示するための通話スイッチ１０７、スピーカ１０８、予約時刻の変更等を指示するためのＵＰスイッチ１０２とＤＯＷＮスイッチ１０３、及び予約時刻の設定等を行なう機能選択モードへの移行と解除を指示するための選択スイッチ１０４が備えられている。
【００２３】
なお、使用者による選択スイッチ１０４とＵＰスイッチ１０２及びＤＯＷＮスイッチ１０３の操作によって、予約時刻の設定を可能とする構成が、本発明の予約時刻設定手段に相当する。また、運転状態においては、各スイッチの操作が可能だが、待機状態においては運転スイッチ１０５のみの操作が可能であって他のスイッチは不能となる。
【００２４】
次に、図２を参照して、浴室リモコン１の表示器２には、給湯器９０の作動状況やＦＭ文字多重放送による文字情報が表示される。なお、図２の表示器２の表示状態は、給湯器の作動状態を示す「浴室リモコン画面」となっている。
【００２５】
また、第１の操作部３には、ＦＭ放送の受信を行う「ＦＭ放送聴視モード」への移行と解除を指示するためのラジオ文字スイッチ１０と、「インターホンモード」への移行と解除を指示するための通話スイッチ１１とが備えられている。なお、ラジオ文字スイッチ１０には、「ＦＭ放送聴視モード」であるときに点灯するＬＥＤ１０ａが内蔵されており、通話スイッチ１１には、「インターホンモード」であるときに点灯するＬＥＤ１１ａが内蔵されている。
【００２６】
第２の操作部４には、スピーカ６の音量の増減や給湯温度の上げ下げ等を指示するためのＤＯＷＮスイッチ１２及びＵＰスイッチ１３と、「浴室リモコン画面」において機能選択モード（音量、省電力表示の設定等を行なう）への移行と解除を指示すると共に、後述する「ラジオ画面」においてラジオの選択モード（選局モード（オート／マニュアル）の設定、チャンネル設定等を行なう）への移行と解除を指示するための選択スイッチ１４と、浴槽への足し湯及びＦＭ放送の選局等を指示するための足し湯スイッチ１５と、浴槽への足し水及びＦＭ放送の選局等を指示するためのぬる湯スイッチ１６とが備えられている。
【００２７】
第３の操作部５には、浴槽に所定量の湯を供給する自動湯張り運転の開始と停止を指示するための自動スイッチ１７と、浴槽内の湯を加熱する追焚き運転の開始と停止を指示するための追焚きスイッチ１８と、給湯器を運転状態と待機状態に切替えるための運転スイッチ１９とが備えられている。なお、運転状態においては各スイッチの操作が可能であって表示器２に各種の情報が表示され、待機状態においては運転スイッチ１９以外の操作が不能となって表示器２は消灯する。
【００２８】
また、自動スイッチ１７には自動湯張り運転の実行中に点灯するＬＥＤ１７ａが内蔵され、追焚きスイッチ１８には追焚き運転の実行中に点灯するＬＥＤ１８ａが内蔵され、運転スイッチ１９には給湯器が運転状態にあるときに点灯するＬＥＤ１９ａが内蔵されている。また、後述予約運転の設定がなされているときには、予約表示２ａが点灯する。
【００２９】
次に、図３（ａ）は、「ＦＭ放送聴視モード」で表示器２が「ラジオ画面」であるときに、使用者が選択スイッチ１４を操作して「ラジオ選局モード（オート選局モード）」としたときの表示器２の表示状態を示している。この場合は、給湯器の作動状態を示す優先表示２０、高温表示２１、及び燃焼表示２２と、時計表示２５の他に、ＦＭ放送局の選局可能表示３０，３１、受信中のチャンネル番号３２（プリセットされた周波数のチャンネル番号）、及び受信中の放送局名３３が表示される。さらに、ＦＭ文字多重放送により緊急放送（ニュース速報、災害情報等）を受信したときに緊急情報番組表示２３が表示される。
【００３０】
そして、使用者は、足し湯スイッチ１５とぬる湯スイッチ１６を操作して、プリセットされた周波数の中から受信するＦＭ放送局を選局することができる。なお、マニュアル選局モードが選択されたときには、チャンネル番号３２は消灯し、放送局名３３に変えて周波数が表示される。そして、使用者は、足し湯スイッチ１５とぬる湯スイッチ１６を操作して、ＦＭ放送の受信周波数を変更することができる。
【００３１】
また、図３（ｂ）は、「ＦＭ放送聴視モード」において、ＦＭ文字多重放送が受信されているときの表示器２の表示状態を示している。この場合は、ＦＭ文字多重放送の受信信号から抽出された文字データに含まれる文字情報４１（ニュースや天気予報等）が、順次表示器２に表示される。また、文字情報４１がＦＭ音声信号の内容と連動したものであるときには、ＬＩＮＫ表示４０が表示される。
【００３２】
次に、使用者は、台所リモコン１００（図１参照）を操作して予約時刻を設定するが、具体的には、選択スイッチ１０４を操作して予約時刻設定モードとして、予約時刻を表示器１０１に表示させる。そして、使用者は、ＵＰスイッチ１０２及びＤＯＷＮスイッチ１０３を操作することで、所望する予約時刻を表示させる。このようにして所望する予約時刻が表示された状態で、使用者が選択スイッチ１０４を操作すると、表示された予約時刻が設定される。そして、このとき、図２を参照して、浴室リモコン１の表示器２に予約表示２ａが点灯される。
【００３３】
予約時刻が設定されると、台所リモコン１００から給湯器９０に予約時刻のデータが送信され、予約運転実行手段９１は、該予約時刻になった時に自動湯張り運転が完了するように、自動湯張り運転の開始時刻を決定する。そして、予約運転実行手段９１は、浴室リモコン１から送信される計時手段８０の計時時刻が前記自動湯張り運転の開始時刻となった時に、自動湯張り運転を開始する。
【００３４】
次に、図１を参照しつつ図４に示したフローチャートに従って、浴室リモコン１のマイコン５０に備えられた時刻設定手段８１による計時手段８０の時刻修正処理の第１の態様について説明する。時刻設定手段８１は、ＳＴＥＰ１で所定の時刻修正タイミングになった時（例えば１日に１回等）に、ＳＴＥＰ２に進んで予約時刻が設定されているか否かを判断する。
【００３５】
そして、予約時刻が設定されていなかったときはＳＴＥＰ３に進み、計時手段８０はチューナーモジュール７２により現在時刻情報を有する文字データを含むＦＭ文字多重放送を受信する。また、続くＳＴＥＰ４で、計時手段８０は、文字データ抽出手段７５により抽出された文字データの現在時刻情報に基づく現在時刻に、計時手段８０の計時時刻を合わせ、これにより計時手段８０の計時時刻を修正する。このように、定期的に計時手段８０の計時時刻を修正することにより、計時手段８０により計時される現在時刻の精度を向上させることができる。
【００３６】
次のＳＴＥＰ５は選択周波数復帰手段８２による処理であり、ＳＴＥＰ３において、ＦＭ文字多重放送を受信するために、チューナーモジュール７２の選択周波数が、直前に使用者により選択された周波数から変更されたときには、選択周波数復帰手段８２により、チューナーモジュール７２の選択周波数が該直前に使用者により選択された周波数に戻される。
【００３７】
一方、ＳＴＥＰ２で予約時刻が設定されていたときにはＳＴＥＰ１に分岐し、計時手段８０はＳＴＥＰ３〜ＳＴＥＰ４による計時時刻の修正処理を実行しない。ここで、図１を参照して、使用者が台所リモコン１００を操作して予約時刻を設定する場合、使用者は、表示器１０１に表示されている現在時刻（計時手段８０の計時時刻）を確認し、該現在時刻から希望する時間が経過した時に浴槽への湯張りが完了するように、予約時刻を決定すると想定される。
【００３８】
例えば、表示器１０１の現在時刻表示が「午後７：００」であって、２時間後に浴槽への湯張りを完了させたい場合、使用者は予約時刻を「午後９：００」に設定する。そして、このように、予約時刻が設定された状態で、計時手段８０の計時時刻を修正すると、使用者の意図していないタイミングで自動湯張り運転が実行されてしまうという不都合がある。
【００３９】
すなわち、例えば、計時手段８０の計時時刻がＦＭ文字多重放送の受信により確認された現在時刻よりも１０分進んでいた場合に、計時手段８０の計時時刻を修正すると、上述した例では、予約時刻を設定した時刻が１０分早くなった（午後７：００→午後６：５０）のと同様の効果が生じる。
【００４０】
そのため、自動湯張り運転が終了する「午後９：００」は、予約時刻の設定がなされた時から「２時間１０分後」となり、使用者が希望した「２時間後」よりも長くなってしまう。その結果、使用者が予約時刻を設定してから２時間後に入浴しようとしたときには、既に浴槽への湯張りが完了してから１０分が経過して、浴槽の湯が冷めてしまっている状況となるという不都合がある。
【００４１】
また、逆に、計時手段８０の計時時刻がＦＭ文字多重放送の受信により確認された現在時刻よりも１０分遅れていた場合に、計時手段８０の計時時刻を修正すると、予約時刻を設定した時刻が１０分遅くなった（午後７：００→午後７：１０）のと同様の効果が生じる。そのため、自動湯張り運転が終了する「午後９：００」は、予約時刻が設定なされた時から「１時間５０分後」となり、使用者が希望した「２時間後」よりも短くなってしまう。
【００４２】
その結果、使用者が、予約時刻を設定した時から２時間後に入浴しようとしたときに、使用者の意に反して未だ浴槽への湯張りが完了していない状況となるという不都合がある。
【００４３】
そこで、ＳＴＥＰ２で「予約運転」の設定がなされていたときには、ＳＴＥＰ１に分岐して計時手段８０の計時時刻の修正処理を行わないようにすることで、上記不都合が生じることを防止することができる。
【００４４】
次に、図１を参照しつつ図５に示したフローチャートに従って、浴室リモコン１のマイコン５０に備えられた時刻設定手段８１による計時手段８０の時刻修正処理の第２の態様と、予約時刻変更手段８４による予約時刻の変更処理について説明する。
【００４５】
時刻設定手段８１は、図５のＳＴＥＰ１０で所定の時刻修正タイミングになった時に、ＳＴＥＰ１１に進んでチューナーモジュール７２により現在時刻情報を有する文字データを含むＦＭ文字多重放送を受信する。そして、続くＳＴＥＰ１２で、時刻設定手段８１は、文字データ抽出手段７５により抽出された文字データの現在時刻情報に基づく現在時刻と、計時手段８０の計時時刻とを比較して、計時手段８０の計時時刻の遅れ及び進みの有無を判断する。
【００４６】
計時手段８０の計時時刻の遅れ又は進みが合った場合（文字データの現在時刻情報に基づく現在時刻と、計時手段８０の計時時刻との間にずれがあった場合）はＳＴＥＰ１４に進み、ＳＴＥＰ１４で予約時刻が設定されていなかったときはＳＴＥＰ１５に進む。ＳＴＥＰ１５で、時刻設定手段８１は、計時手段８０の計時時刻を、文字データ抽出手段７５により抽出された文字データの現在時刻情報に基づく現在時刻に合わせ、これにより計時手段８０により計時されている現在時刻を修正する。そして、続くＳＴＥＰ１６で、選択周波数復帰手段８２は、上述した図４のＳＴＥＰ５と同様に、チューナーモジュール７２の選択周波数を使用者により直近に選択された周波数に戻す。
【００４７】
一方、ＳＴＥＰ１４で予約時刻が設定されていたときにはＳＴＥＰ２０に進む。ＳＴＥＰ２０〜ＳＴＥＰ２１及びＳＴＥＰ３０は予約時刻変更手段８４による処理である。ＳＴＥＰ２０で、計時手段８０の計時時刻の遅れがあったときはＳＴＥＰ２１に進む。そして、予約時刻変更手段８４は、予約時刻を遅れ時間分遅い時刻に変更する。例えば、予約時刻が「午後９：００」であって遅れ時間が１０分であったときは、予約時刻変更手段８４は、予約時刻を「午後９：１０」に変更して、ＳＴＥＰ１５に進む。ＳＴＥＰ１５では、上述したように、時刻設定手段８１より計時手段８０の計時時刻の修正処理が実行される。
【００４８】
ここで、例えば、台所リモコン１００の表示部１０１の現在時刻表示（＝計時手段８０の計時時刻）が「午後７：００」である時に、使用者が２時間後に浴槽への湯張りが完了するように予約時刻を「午後９：００」に設定した場合を考える。この場合、ＳＴＥＰ２１における計時手段８０の遅れ時間αが１０分であったときは、予約時刻変更手段８４により予約時刻Ｔrが１０分遅い「午後９：１０」（Ｔr＋α）に変更される。
【００４９】
そして、ＳＴＥＰ１５で、計時手段８０の遅れ時間α（１０分）が修正されると、予約時刻が設定された時刻が１０分遅くなった（午後７：００→午後７：１０）のと同様の効果が生じる。その結果、自動湯張り運転が終了する予約時刻「午後９：１０」は、予約時刻が設定された時刻（「午後７：１０」）から２時間後に維持され、使用者が意図したタイミングで浴槽への湯張りを完了させることができる。
【００５０】
また、ＳＴＥＰ２０で計時時刻の進みがあったときにはＳＴＥＰ３０に分岐する。そして、予約時刻変更手段８４は、予約時刻を進み時間分早い時刻に変更する。例えば、予約時刻が「午後９：００」であって進み時間βが１０分であったときは、予約時刻変更手段８４により予約時刻Ｔrが１０分早い「午後８：５０」（Ｔr−β）に変更されて、ＳＴＥＰ１５に進む。ＳＴＥＰ１５では、上述したように、時刻設定手段８１により計時手段８０の計時時刻の修正処理が実行される。
【００５１】
このように、進み時間βが生じていたときに、ＳＴＥＰ１５で、計時手段８０の進み時間β（１０分）が修正されると、予約時刻が設定された時刻が１０分早くなった（午後７：００→午後６：５０）のと同様の効果が生じる。その結果、自動湯張り運転が終了する予約時刻「午後８：５０」は、予約時刻が設定された時刻（「午後６：５０」）から２時間後に維持され、使用者が意図したタイミングで浴槽への湯張りを完了させることができる。
【００５２】
また、ＳＴＥＰ１３で計時手段８０の計時時刻に遅れ又は進みがなかったときは、ＳＴＥＰ１６に分岐し、計時手段８０の計時時刻の修正処理は実行されない。
【００５３】
なお、本実施の形態では、本発明の予約運転として自動湯張り運転を行なう例を示したが、予約運転として、浴槽内の湯を追焚きする追焚き運転等の他の種類の運転を行なう場合であっても本発明の効果を得ることができる。
【００５４】
また、本実施の形態では、台所リモコン１００により予約時刻を設定する給湯システムを示したが、浴室リモコン１により予約時刻を設定するようにしてもよい。
【００５５】
また、本実施の形態では、計時手段８０、時刻設定手段８１、予約時刻変更手段８４、チューナーモジュール７２、及び文字データ抽出手段７５を浴室リモコン１に備えたが、これらを給湯器９０や台所リモコン１００に備えるようにしてもよい。
【図面の簡単な説明】
【００５６】
【図１】本発明の給湯システムの全体構成図。
【図２】図１に示した浴室リモコンの外観図。
【図３】図１に示した浴室リモコンの表示器におけるＦＭ放送の選局状態と文字情報の表示状態を示した説明図。
【図４】第１の態様における時刻修正処理のフローチャート。
【図５】第２の態様における時刻修正処理及び予約時刻変更処理のフローチャート。
【符号の説明】
【００５７】
１…浴室リモコン、２…表示器、７０…チューナー基板、７２…チューナーモジュール、７４…メモリ、７５…文字データ抽出手段、８０…計時手段、８１…時刻設定手段、８２…選択周波数復帰手段、８３…文字情報表示手段、８４…予約時刻変更手段、９０…給湯器、１００…台所リモコン
【図１】
2006183956.tif 000003
【図２】
2006183956.tif 000004
【図３】
2006183956.tif 000005
【図４】
2006183956.tif 000006
【図５】
2006183956.tif 000007